(57)【要約】【課題】使用者が装着したカメラ部が適正なものかを簡単に判別でき、また撮影した映像データを無駄にせず出力できるようにする。【解決手段】ＬＣＤ表示部１４は、映像表示範囲４１とキャラクタ表示範囲４２に区分けされている。映像表示範囲４１は、アスペクト比が銀塩フィルムに露光されるアスペクト比と同一の３：２である。ここにＣＣＤにより撮像された映像データが表示される。表示部１４の残りの部分にＧＵＩ／ＣＰＵで生成されたキャラクタを表示する。表示部１４では、全体を映像表示範囲４３とする。映像表示範囲４３は、アスペクト比がテレビジョン放送方式のアスペクト比と同一の４：３とする。【選択図】　　　　　図３
2004040574.tif 000002
【特許請求の範囲】
【請求項１】
カメラ部が、表示部を備えている装置本体部から着脱可能なビデオカメラであって、
前記カメラ部は、動画を撮影する動画カメラ部、或いは静止画を撮影する静止画カメラ部からなり、
前記装置本体部に装着した前記カメラ部が前記動画カメラ部或いは前記静止画カメラ部であるかの識別部を備え、該識別部により前記装置本体部の表示部に表示されるキャラクタの表示形態を変えることを特徴とするカメラ部着脱型ビデオカメラ。
【請求項２】
前記動画カメラ部が装着された場合の前記キャラクタの表示形態は、前記表示部の映像表示に重ねてキャラクタ表示を行う形態であり、
前記静止画カメラ部が装着された場合の前記キャラクタの表示形態は、前記表示部の映像表示範囲とキャラクタ表示範囲を区分けして表示を行う形態であることを特徴とする請求項１記載のカメラ部着脱型ビデオカメラ。
【請求項３】
カメラ部が、表示部を備えている装置本体部から着脱可能なビデオカメラであって、
前記カメラ部は、動画を撮影する動画カメラ部、或いは静止画を撮影する静止画カメラ部からなり、
前記装置本体部に装着した前記カメラ部が前記動画カメラ部である場合、前記表示部の映像表示範囲のアスペクト比はテレビジョン放送方式のアスペクト比とほぼ同一とし、
前記装置本体部に装着した前記カメラ部が前記静止画カメラ部である場合、前記表示部の映像表示範囲のアスペクト比は銀塩フィルムに露光されるアスペクト比とほぼ同一としたことを特徴とするカメラ部着脱型ビデオカメラ。
【請求項４】
前記装置本体部はＯＳＤを備え、前記静止画カメラ部はＧＵＩを備え、
前記動画カメラ部が前記装置本体部に装着された場合、ＯＳＤを用いて表示し、
前記静止画カメラ部が前記装置本体部に装着された場合、ＧＵＩを用いて表示することを特徴とする請求項１、２又は３記載のカメラ部着脱型ビデオカメラ。
【発明の詳細な説明】
【０００１】
【発明の属する技術分野】
本発明は、動画カメラ部と静止画カメラ部が着脱可能となっているカメラ部着脱型ビデオカメラに関する。
【０００２】
【従来の技術】
近年、ビデオカメラにおいて、静止画像の撮影を行うスチルカメラ機能を有するものがある。これは同一のＣＣＤを用いて、動画と静止画を撮影するものである。動画の場合はリアルタイムで大量の撮像データをＣＣＤから転送する必要があり、ＣＣＤの画素数が転送速度に規定されてしまう。それに対して、静止画像の場合は、シャッターを閉じてから、撮像データを転送するので、ＣＣＤの画素数は転送速度に規定されない。したがって、一つのＣＣＤで動画と静止画の両方を撮影可能なビデオカメラの場合は、動画像を撮像するＣＣＤの転送速度に画素数が規定され、静止画専用のスチルカメラに比べれば、ＣＣＤの画素数が少なくなってしまう。
そこで、ビデオカメラのカメラ部を着脱可能なものとして、動画カメラ部と静止画カメラ部を用途に合わせて付け替えるものが考えられている。
【０００３】
【発明が解決しようとする課題】
しかし、このようなビデオカメラの場合、動画カメラ部と静止画カメラ部がデザイン上等の観点から、形状に大きな差異がない場合が考えられる。カメラ部に区別がつくような文字や図等の表示を入れるか、或いは形状の一部に識別用の変化をつけることも考えられる。それでも、誤って装着し撮影した場合、ある程度撮影が進んだ段階で気づくことになり、それまでの操作が無駄となるおそれもある。
【０００４】
また、従来のように、静止画も動画も共通のＣＣＤを使用するビデオカメラの場合は、静止画と動画で出力表示或いは印刷する時のアスペクト比が異なる。例えば、静止画を銀塩フィルムに露光されるアスペクト比は３：２であり、動画像を表示するアスペクト比は４：３或いは１６：９となる。ＣＣＤはアスペクトの大きい方を撮像可能なように画素を設定し、アスペクト比の小さい方は、撮像した映像データを削ることになる。例えば、動画のアスペクト比を４：３とし、静止画のアスペクト比を３：２とすると、ＣＣＤは４：３を撮像可能なものを配置する。そして、静止画を撮影するときは、ＣＣＤが撮像した４：３の映像データの一部を削って３：２に合わせる変換処理をする。こうして、変換処理したものは、例えばビデオテープ等に記録される。このように、静止画撮影したデータは、ＣＣＤが撮像した映像データが全て使用されるわけではなく、無駄になる問題点があった。
【０００５】
本発明の目的は、使用者が装着したカメラ部が適正なものかを簡単に判別できるカメラ部着脱型ビデオカメラを提供することにある。
【０００６】
【課題を解決するための手段】
本発明は、カメラ部が、表示部を備えている装置本体部から着脱可能なビデオカメラであって、前記カメラ部は、動画を撮影する動画カメラ部、或いは静止画を撮影する静止画カメラ部からなり、前記装置本体部に装着した前記カメラ部が前記動画カメラ部或いは前記静止画カメラ部であるかの識別部を備え、該識別部により前記装置本体部の表示部に表示されるキャラクタの表示形態を変えることを特徴とする。
【０００７】
本発明は、前記動画カメラ部が装着された場合の前記キャラクタの表示形態は、前記表示部の映像表示に重ねてキャラクタ表示を行う形態であり、前記静止画カメラ部が装着された場合の前記キャラクタの表示形態は、前記表示部の映像表示範囲とキャラクタ表示範囲を区分けして表示を行う形態であることを特徴とする。
【０００８】
本発明は、カメラ部が、表示部を備えている装置本体部から着脱可能なビデオカメラであって、前記カメラ部は、動画を撮像する動画カメラ部、或いは静止画を撮像する静止画カメラ部からなり、前記装置本体部に装着した前記カメラ部が前記動画カメラ部である場合、前記表示部の映像表示範囲のアスペクト比はテレビジョン放送方式のアスペクト比とほぼ同一とし、前記装置本体部に装着した前記カメラ部が前記静止画カメラ部である場合、前記表示部の映像表示範囲のアスペクト比は銀塩フィルムに露光されるアスペクト比とほぼ同一としたことを特徴とする。
【０００９】
本発明は、前記装置本体部はＯＳＤ（Ｏｎ　Ｓｃｒｅｅｎ　Ｄｉｓｐｌａｙ）を備え、前記静止画カメラ部はＧＵＩ（Ｇｒａｐｈｉｃａｌ　Ｕｓｅｒ　Ｉｎｔｅｒｆａｃｅ）を備え、前記動画カメラ部が前記装置本体部に装着された場合、ＯＳＤを用いて表示し、前記静止画カメラ部が前記装置本体部に装着された場合、ＧＵＩを用いて表示することを特徴とする。
【００１０】
【発明の実施の形態】
以下、本発明の実施の形態について図面を用いて説明する。
【００１１】
図１は本発明に係るカメラ部着脱型ビデオカメラの一実施形態を示す斜視図であり、図２はこのカメラ着脱型ビデオカメラを示す要部ブロック図であり、図３は、カメラ部の撮影画像を表示部に表示した場合の表示説明図である。
【００１２】
このカメラ部着脱型ビデオカメラは、装置本体部１０と、静止画カメラ部２０と、動画カメラ部３０とからなる構成であり、装置本体部１０に動画カメラ部３０あるいは静止画カメラ部２０を、着脱機構４０を介して着脱できるようになっている。着脱機構は、装置本体部１０、静止画カメラ部２０、動画カメラ部３０のそれぞれに備えられている。
【００１３】
装置本体部１０は、各部の制御を行うＣＰＵ１１、映像信号に重ねてキャラクタデータ表示を行うための信号を発生するＯＳＤ部１２、ＬＣＤドライバ１３、ＬＣＤ表示部１４を備えている。装置本体部１０は、図示していないがビデオテープ等の記録媒体に対する記録再生機能も有している。
静止画カメラ部２０は、静止画用ＣＣＤ２１と、ＣＣＤ２１から出力された映像信号を処理する映像信号処理部２２と、アイコン等のキャラクタデータを表示させるキャラクタ信号を生成するＧＵＩ／ＣＰＵ２３とを備える。静止画カメラ部２０は、レンズ等の光学系から入射した光をＣＣＤ２１に撮像させ、その後、メカニカルなシャッターにより光を遮断する。そして、低スピードで多くの画素をＣＣＤ２１から読み込むことができる。
動画カメラ部３０は、動画用ＣＣＤ３１と、ＣＣＤ３１から出力された映像信号を処理する映像処理部３２とを備える。動画カメラ部３０は、レンズ等の光学系から入射した光をＣＣＤ２１に撮像させ、それをインターレスで読み込むことができる。
【００１４】
装置本体部１０のＣＰＵ１１は、着脱機構４０により装着されたカメラ部が、動画カメラ部３０であるか、それとも静止画カメラ部２０であるかを認識する。この認識機構は、装置本体部１０とカメラ部２０，３０との結合部に相手を識別するＩＤを設け、ＣＰＵ１１は、このＩＤから装着カメラ部がどの種類であるかを認識する。
【００１５】
装置本体部１０に静止画カメラ部２０を装着した場合について説明する。
装置本体部１０のＣＰＵ１１は、着脱機構４０により装着されたカメラ部が、静止画カメラ部２０であることを認識する。電池残量やシャッタースピード等のキャラクタ（アイコン）を表示させるため、静止画カメラ部２０のＧＵＩ／ＣＰＵ２３を出力したキャラクタ信号は映像信号処理部２２の信号と合成されて装置本体部１０に送出される。
装置本体部１０は、静止画カメラ部２０が装着されていることを認識しているので、ＯＳＤ部１２の機能停止を停止させ、静止画カメラ部２０からの映像信号をそのままＬＣＤドライバ１３に入力し、ＬＣＤ表示部１４に表示させる。
【００１６】
図３（ａ）に示すように、ＬＣＤ表示部１４は、映像表示範囲４１とキャラクタ表示範囲４２に区分けされている。映像表示範囲４１は、アスペクト比が銀塩フィルムに露光されるアスペクト比と同一の３：２である。ここにＣＣＤ２１により撮像された映像データが表示される。表示部１４の残りの部分にＧＵＩ／ＣＰＵ２３で生成されたキャラクタを表示する。
【００１７】
静止画カメラ部２０の撮影に必要なキャラクタ（アイコン）は、例えば、操作メニューであったり、現在の操作のモードであったりして、数が多い。これをＯＳＤを使用して映像表示に重ねると、映像表示が見にくくなるため、表示部１４ではキャラクタ表示範囲を別に設けることにしている。
【００１８】
次に、装置本体部１０に動画カメラ部３０を装着した場合について説明する。装置本体部１０のＣＰＵ１１は、着脱機構４０により装着されたカメラ部が、動画カメラ部３０であることを認識し、装置本体部１０のＯＳＤ部１２を駆動させる。
ＡＵＴＯモードや日付等のキャラクタを表示させるため、動画カメラ部３０の映像信号処理部２２の信号と装置本体部１０のＯＳＤ１２により生成されたＯＳＤ信号とをＬＣＤドライバ１３に入力し、映像信号にＯＣＤ信号を重ね合わせ、ＬＣＤ表示部１４に表示させる。
【００１９】
図３（ｂ）に示すように、ＬＣＤ表示部１４では、全体を映像表示範囲４３とする。映像表示範囲４３は、アスペクト比がテレビジョン放送方式のアスペクト比と同一の４：３とする。
静止画カメラ部２０の撮影に必要なキャラクタ（アイコン）は、静止画撮影の場合に比較し、キャラクタの数は少なくてすむ。そのため、ＯＳＤを使用して映像表示に重ねても、映像表示が見にくくなることがない。むしろ、映像表示部分を大きくとることができ、ユーザーが見やすくなる利点がある。
【００２０】
上記のように、静止画カメラ部２０と動画カメラ部３０を装着した場合により、キャラクタの表示形態が異なり、また映像表示範囲のアスペクト比も異なるので、ユーザーが撮影前に表示部１４で確認する時点で、直ちにかつ容易に装着カメラ部の種類を判別できる。
また、従来のように、同一ＣＣＤにより、静止画と動画を撮影する場合に比較し、静止画において、ＣＣＤで撮像した情報を欠落させることなく、表示を行うことが可能となる。
【００２１】
【発明の効果】
本発明は、装置本体部に装着された前記カメラ部が前記動画カメラ部或いは前記静止画カメラ部であるかにより、装置本体の表示部に表示されるキャラクタの表示形態やアスペクト比を変えることにより、ユーザーが直ちにかつ容易に装着カメラ部の種類を判別できる。また、ＣＣＤで撮像した映像データを無駄にすることなく表示できる。
【図面の簡単な説明】
【図１】本発明に係るカメラ部着脱型ビデオカメラの一実施形態を示す斜視図である。
【図２】カメラ着脱型ビデオカメラを示す要部ブロック図である。
【図３】カメラ部の撮影画像を表示部に表示した場合の表示説明図である。
【符号の説明】
１０　装置本体部
１１　ＣＰＵ
１２　ＯＳＤ部
１３　ＬＣＤドライバ
１４　ＬＣＤ表示部
２０　静止画カメラ部
２１，３１　ＣＣＤ
２２，３２　映像信号処理部
３０　動画カメラ部
４０　着脱機構
４１　映像表示範囲
４２　キャラクタ表示範囲
４３　映像表示範囲
【図１】
2004040574.tif 000003
【図２】
2004040574.tif 000004
【図３】
2004040574.tif 000005